(57)【要約】  【課題】  イグナイター回路からバラスト回路への逆流を防止するための逆流防止用ダイオードを削除し、それに代わって熱の発生量が極めて少ない回路素子を用いて構成した放電ランプ駆動装置を提供する。  【解決手段】  電源オン時に飽和用トランジスタ４をオンさせることによりバラスト回路３からの電流が可飽和コイル４を介して接地に流れ、可飽和コイル４はバラスト回路３への方向に対して磁気飽和され、イグナイター回路１５からバラスト回路３への方向の瞬間的な電流に対しては、可飽和コイル４はハイインピーダンスとなり、イグナイター回路１５からの瞬間的な電流は可飽和コイル４で阻止される。このような可飽和コイル４の性質を利用することにより、従来のような逆流防止用のダイオードが不要となる。【選択図】      図１
0003106028.tif 000002
【実用新案登録請求の範囲】
【請求項１】
直流用の放電ランプを駆動させる放電ランプ駆動装置において、前記放電ランプを放電
開始させるための高圧電圧を前記放電ランプに印加するイグナイター回路と、一端が前記
放電ランプの一方端子と前記イグナイター回路の出力端子との接続ラインに接続される可
飽和コイルと、出力端が前記可飽和コイルの他端に接続され、前記放電ランプの放電が開
始した後、前記可飽和コイルを介して前記放電ランプに一定の電圧を供給し続けるバラス
ト回路と、コレクタが前記可飽和コイルの一端に接続されると共にエミッタが接地され前
記可飽和コイルを磁気飽和状態にするための飽和用トランジスタとを備えると共に、電源
オン時に前記飽和用トランジスタをオンさせ、前記イグナイター回路の動作前に前記飽和
用トランジスタをオフし、この後、前記イグナイター回路の動作開始を行い、この時に前
記放電ランプが放電していなければ、再び、前記飽和用トランジスタをオンさせ、前記イ
グナイター回路の動作前に前記飽和用トランジスタをオフし、この後、前記イグナイター
回路の動作開始を行うように制御する制御部を備えたことを特徴とする放電ランプ駆動装
置。
【請求項２】
直流用の放電ランプを駆動させる放電ランプ駆動装置において、前記放電ランプを放電
開始させるための高圧電圧を前記放電ランプに印加するイグナイター回路と、一端が前記
放電ランプの一方端子と前記イグナイター回路の出力端子との接続ラインに接続される可
飽和コイルと、出力端が前記可飽和コイルの他端に接続され、前記放電ランプの放電が開
始した後、前記可飽和コイルを介して前記放電ランプに一定の電圧を供給し続けるバラス
ト回路とを備えたことを特徴とする放電ランプ駆動装置。
【請求項３】
可飽和コイルの一端と接地間に接続され、前記可飽和コイルを磁気飽和状態にするため
の飽和用スイッチ手段を備えたことを特徴とする請求項２に記載の放電ランプ駆動装置。
【請求項４】
前記飽和用スイッチ手段は、コレクタが可飽和コイルの一端に接続され、エミッタが接
地された飽和用トランジスタであることを特徴とする請求項３に記載の放電ランプ駆動装
置。
【請求項５】
電源オン時に飽和用スイッチ手段をオンさせ、イグナイター回路の動作前に前記飽和用
スイッチ手段をオフし、この後、前記イグナイター回路の動作開始を行い、この時に放電
ランプが放電していなければ、再び、前記飽和用スイッチ手段をオンさせ、前記イグナイ
ター回路の動作前に前記飽和用スイッチ手段をオフし、この後、前記イグナイター回路の
動作開始を行うように制御する制御部を備えたことを特徴とする請求項２，３に記載の放
電ランプ駆動装置。
【考案の詳細な説明】
【技術分野】
【０００１】
本考案は直流用の放電ランプを駆動させる放電ランプ駆動装置に関する。
【背景技術】
【０００２】
図４は従来の放電ランプ駆動装置の要部を示す回路図である。この放電ランプ駆動装置
は、図示しない電源回路からの例えばＤＣ１００Ｖ電圧を入力する入力端子１と、この入
力端子１から入力されたＤＣ１００Ｖ電圧を昇圧すると共に、昇圧時の電圧と電流の位相
差を極力小さくする、いわゆる力率を改善して例えばＤＣ４００Ｖ電圧を出力するＰＦＣ
（パワー・ファクト・コントローラ）回路２と、出力端が逆流防止用ダイオード１８のア
ノードに接続され、放電ランプ１６の放電が開始した後、逆流防止用ダイオード１８を介
して放電ランプ１６に一定の電圧を供給し続けるバラスト回路３と、放電ランプ１６を放
電開始させるための高圧の点弧電流を放電ランプ１６の一方端子に抵抗１４およびダイオ
ード１３を介して供給する、即ち放電ランプ１６を放電開始させるための高圧電圧を放電
ランプ１６に印加するイグナイター回路１５と、放電ランプ１６に定格電圧が印加できる
ように電圧降下を得ると共に放電ランプ１６からの電流を接地へ流す接地回路２０と、こ
の接地回路２０をスイッチング動作させるスイッチング制御回路１０と、放電を開始した
時の放電ランプ１６の電圧を検出する電圧検出回路２１、この電圧検出回路２１により検
出された電圧に従ってイグナイター回路１５の動作を停止させたり、装置の電源オンによ
りスイッチング制御回路１０を駆動させたりするマイクロコンピュータ５とを備えている
。
【０００３】
接地回路２０は、ＮＰＮ形のトランジスタ６とＮＰＮ形のトランジスタ９とコイル７と
コイル８を備えてチョッパ回路を構成し、スイッチング制御回路１０から出力されるスイ
ッチング信号によりトランジスタ６とトランジスタ９とを交互にオン／オフし、点灯時の
放電ランプ１６に定格電圧が印加できるように電圧降下を得ると共に、放電ランプ１６か
らの電流を接地へ流す動作を行う。これにより、放電ランプ１６は、放電開始時における
イグナイター回路１５からの高圧の点弧電流を接地に流すことができると共に、放電開始
後のバラスト回路３からの電流を接地に流すことができ、放電から点灯まで動作が可能と
なる。
【０００４】
次に、この従来の放電ランプ駆動装置の動作について説明する。装置の図示しない電源
スイッチをオンすると、マイクロコンピュータ５はイグナイター回路１５およびスイッチ
ング制御回路１０を動作させ、イグナイター回路１５は、例えば１．２ＫＶの瞬間的な高
圧電圧を発生し、抵抗１４およびダイオード１３を介して放電ランプ１６に、その高圧電
圧による点弧電流を流す。これにより、放電ランプ１６に点弧電流が流れ、放電ランプ１
６が放電を開始して点灯すると、放電ランプ１６の両端電圧が低下するので、この低下し
た電圧を電圧検出回路２１により検出し、これに応答して、マイクロコンピュータ５はイ
グナイター回路１５の動作を停止させる。
【０００５】
また、前記電源スイッチがオンされたときは、ＰＦＣ回路２およびバラスト回路３も動
作することになり、図示しない電源回路からの例えばＤＣ１００Ｖ電圧が入力端子１に入
力される。このＤＣ１００Ｖ電圧は、ＰＦＣ回路２に入力されて例えばＤＶ４００Ｖ電圧
に昇圧されるが、この昇圧時の電圧と電流とが位相差を生じるが、この位相差が極力少な
くなるように力率が改善される。ＰＦＣ回路２から出力されたＤＣ４００Ｖ電圧はバラス
ト回路３に入力され、バラスト回路３からは一定の安定したＤＣ４００Ｖ電圧が出力され
る。
【０００６】
バラスト回路３からはＤＣ４００Ｖの電圧が出力されるが、放電ランプ１６の定格電圧
が例えばＤＣ７５Ｖであれば、放電ランプ１６にＤＣ７５Ｖ電圧を印加しなければならな
いので、ダイオード１８の順方向の電圧降下分を無視すると、接地回路２０でＤＣ３２５
Ｖの電圧降下が得られるようなっている。これにより、放電ランプ１６にはＤＣ７５Ｖ電
圧が印加されることになり、イグナイター回路１５の動作が停止した後は、バラスト回路
３の出力電圧により放電ランプ１６は点灯が維持される。
【特許文献１】特開平５−２５８８８０号公報
【特許文献２】特開平６−１３１９１号公報
【考案の開示】
【考案が解決しようとする課題】
【０００７】
しかしながら、このような従来の放電ランプ駆動装置においては、放電ランプ１６を放
電開始させる時にイグナイター回路１５からの高圧電流がバラスト回路３側へ流れないよ
うにするために、逆流防止用ダイオード１８が必要となり、放電ランプ１６は容量が大き
くなって消費電力が例えば１５０〜２００Ｗのようになると、逆流防止用ダイオード１８
の発熱が大きくなるので、逆流防止用ダイオード１８を冷却するためのヒートシンクが必
要となり、回路基板上のレイアウトに制約を与えて回路設計の自由度を低下させ、また、
ヒートシンクのスペースを余分に取るため、回路基板の小型化を図れず、これにより装置
の小型化も図れないという課題が生じる。
【０００８】
なお、特許文献１の従来技術は、ＡＣ用の放電ランプを駆動させるものであって、ＤＣ
用の放電ランプを駆動させるものではない。また、特許文献２の従来技術は、無電極放電
ランプを駆動させるものであって、これも同様、ＤＣ用の放電ランプを駆動させるもので
はない。
【０００９】
本考案は、上記のような課題を解決するためになされたもので、イグナイター回路から
バラスト回路への逆流を防止するための逆流防止用ダイオードを削除し、それに代わって
熱の発生量が極めて少ない回路素子を用いて構成した放電ランプ駆動装置を提供すること
を目的とする。
【課題を解決するための手段】
【００１０】
上記目的を達成するために、請求項１の考案は、直流用の放電ランプを駆動させる放電
ランプ駆動装置において、前記放電ランプを放電開始させるための高圧電圧を前記放電ラ
ンプに印加するイグナイター回路と、一端が前記放電ランプの一方端子と前記イグナイタ
ー回路の出力端子との接続ラインに接続される可飽和コイルと、出力端が前記可飽和コイ
ルの他端に接続され、前記放電ランプの放電が開始した後、前記可飽和コイルを介して前
記放電ランプに一定の電圧を供給し続けるバラスト回路と、コレクタが前記可飽和コイル
の一端に接続されると共にエミッタが接地され前記可飽和コイルを磁気飽和状態にするた
めの飽和用トランジスタとを備えると共に、電源オン時に前記飽和用トランジスタをオン
させ、前記イグナイター回路の動作前に前記飽和用トランジスタをオフし、この後、前記
イグナイター回路の動作開始を行い、この時に前記放電ランプが放電していなければ、再
び、前記飽和用トランジスタをオンさせ、前記イグナイター回路の動作前に前記飽和用ト
ランジスタをオフし、この後、前記イグナイター回路の動作開始を行うように制御する制
御部を備えたことを特徴とする放電ランプ駆動装置を提供する。
【００１１】
この構成において、電源オン時に、飽和用トランジスタをオンさせることにより、バラ
スト回路からの電流が可飽和コイルを介して接地に流れ、これにより、可飽和コイルはバ
ラスト回路への方向に対して磁気飽和され、イグナイター回路からバラスト回路への方向
の瞬間的な電流に対しては、可飽和コイルはハイインピーダンスとなり、イグナイター回
路からの瞬間的な電流は可飽和コイルで阻止される。このような可飽和コイルの性質を利
用することにより、従来のような逆流防止用のダイオードが不要となる。
【００１２】
制御部は、電源オンすると、先ず、イグナイター回路の動作前に飽和用トランジスタを
オンして可飽和コイルを磁気飽和し、この後、イグナイター回路の動作開始を行い、放電
ランプに高圧電圧を印加し、放電が開始し点灯すれば、バラスト回路からの電流が放電ラ
ンプに流れ、点灯を維持させるが、放電ランプが放電していなければ、再び、飽和用トラ
ンジスタをオンして可飽和コイルを磁気飽和し、イグナイター回路の動作前に飽和用トラ
ンジスタをオフし、この後、イグナイター回路の動作開始を行い、放電ランプに高圧電圧
を印加し、放電が開始し点灯すれば、バラスト回路からの電流が放電ランプに流れ、点灯
を維持させる。
【００１３】
この構成によれば、イグナイター回路からバラスト回路への逆流を防止するための逆流
防止用ダイオードを削除でき、それに代わって熱の発生量が極めて少ない可飽和コイルを
用いて構成したので、放電ランプの容量が大きくなって消費電力が増加しても、発熱を低
減することができ、また、ヒートシンクが不要になるので、回路基板上のレイアウトに制
約を与えることなく、回路設計の自由度を高めることができ、これにより、回路基板の小
型化を図ることができ、これに伴って装置の小型化も図ることができる。
【００１４】
請求項２の考案は、直流用の放電ランプを駆動させる放電ランプ駆動装置において、前
記放電ランプを放電開始させるための高圧電圧を前記放電ランプに印加するイグナイター
回路と、一端が前記放電ランプの一方端子と前記イグナイター回路の出力端子との接続ラ
インに接続される可飽和コイルと、出力端が前記可飽和コイルの他端に接続され、前記放
電ランプの放電が開始した後、前記可飽和コイルを介して前記放電ランプに一定の電圧を
供給し続けるバラスト回路とを備えたことを特徴とする放電ランプ駆動装置を提供する。
【００１５】
この構成において、イグナイター回路からバラスト回路への方向の瞬間的な電流に対し
ては、可飽和コイルはハイインピーダンスとなり、イグナイター回路からの瞬間的な電流
は可飽和コイルで阻止される。このような可飽和コイルの性質を利用することにより、従
来のような逆流防止用ダイオードが不要となる。
【００１６】
この構成によれば、イグナイター回路からバラスト回路への逆流を防止するための逆流
防止用ダイオードを削除でき、それに代わって熱の発生量が極めて少ない可飽和コイルを
用いて構成したので、放電ランプの容量が大きくなって消費電力が増加しても、発熱を低
減することができ、また、ヒートシンクが不要になるので、回路基板上のレイアウトに制
約を与えることなく、回路設計の自由度を高めることができ、これにより、回路基板の小
型化を図ることができ、これに伴って装置の小型化も図ることができる。
【００１７】
請求項３の考案では、請求項２の考案において、可飽和コイルの一端と接地間に接続さ
れ、前記可飽和コイルを磁気飽和状態にするための飽和用スイッチ手段を備えたので、イ
グナイター回路の動作前には、常に可飽和コイルを磁気飽和状態にすることができ、イグ
ナイター回路からの瞬間的な高圧電流がバラスト回路へ流れるのを確実に阻止することが
でき、これにより、バラスト回路を保護する精度が向上する。
【００１８】
請求項４の考案では、請求項３の考案において、前記飽和用スイッチ手段は、コレクタ
が可飽和コイルの一端に接続され、エミッタが接地された飽和用トランジスタであるので
、応答性が良く、簡単な回路構成で安価に実現できる。
【００１９】
請求項５の考案では、請求項２，３の考案において、電源オン時に飽和用スイッチ手段
をオンさせ、イグナイター回路の動作前に前記飽和用スイッチ手段をオフし、この後、前
記イグナイター回路の動作開始を行い、この時に放電ランプが放電していなければ、再び
、前記飽和用スイッチ手段をオンさせ、前記イグナイター回路の動作前に前記飽和用スイ
ッチ手段をオフし、この後、前記イグナイター回路の動作開始を行うように制御する制御
部を備えたので、放電ランプの放電開始から点灯までの動作が可能になる。
【考案の効果】
【００２０】
以上のように本考案によれば、直流用の放電ランプを駆動させる放電ランプ駆動装置に
おいて、前記放電ランプを放電開始させるための高圧電圧を前記放電ランプに印加するイ
グナイター回路と、一端が前記放電ランプの一方端子と前記イグナイター回路の出力端子
との接続ラインに接続される可飽和コイルと、出力端が前記可飽和コイルの他端に接続さ
れ、前記放電ランプの放電が開始した後、前記可飽和コイルを介して前記放電ランプに一
定の電圧を供給し続けるバラスト回路と、コレクタが前記可飽和コイルの一端に接続され
ると共にエミッタが接地され前記可飽和コイルを磁気飽和状態にするための飽和用トラン
ジスタとを備えると共に、電源オン時に前記飽和用トランジスタをオンさせ、前記イグナ
イター回路の動作前に前記飽和用トランジスタをオフし、この後、前記イグナイター回路
の動作開始を行い、この時に前記放電ランプが放電していなければ、再び、前記飽和用ト
ランジスタをオンさせ、前記イグナイター回路の動作前に前記飽和用トランジスタをオフ
し、この後、前記イグナイター回路の動作開始を行うように制御する制御部を備えたので
、イグナイター回路からバラスト回路への逆流を防止するための逆流防止用ダイオードを
削除でき、それに代わって熱の発生量が極めて少ない可飽和コイルを用い、これにより、
放電ランプの容量が大きくなって消費電力が増加しても、発熱を低減することができ、ま
た、ヒートシンクが不要になるので、回路基板上のレイアウトに制約を与えることなく、
回路設計の自由度を高めることができ、これにより、回路基板の小型化を図ることができ
、これに伴って装置の小型化も図ることができる。
【００２１】
また、本考案によれば、直流用の放電ランプを駆動させる放電ランプ駆動装置において
、前記放電ランプを放電開始させるための高圧電圧を前記放電ランプに印加するイグナイ
ター回路と、一端が前記放電ランプの一方端子と前記イグナイター回路の出力端子との接
続ラインに接続される可飽和コイルと、出力端が前記可飽和コイルの他端に接続され、前
記放電ランプの放電が開始した後、前記可飽和コイルを介して前記放電ランプに一定の電
圧を供給し続けるバラスト回路とを備えたので、イグナイター回路からバラスト回路への
逆流を防止するための逆流防止用ダイオードを削除でき、それに代わって熱の発生量が極
めて少ない可飽和コイルを用い、これにより、放電ランプの容量が大きくなって消費電力
が増加しても、発熱を低減することができ、また、ヒートシンクが不要になるので、回路
基板上のレイアウトに制約を与えることなく、回路設計の自由度を高めることができ、こ
れにより、回路基板の小型化を図ることができ、これに伴って装置の小型化も図ることが
できる。
【考案を実施するための最良の形態】
【００２２】
以下、添付図面を参照しつつ、本考案の実施の形態について説明する。図１は本考案の
一実施形態に係る放電ランプ駆動装置の要部を示す回路図である。
【００２３】
この放電ランプ駆動装置は、図示しない電源回路からの例えばＤＣ１００Ｖ電圧を入力
する入力端子１と、この入力端子１から入力されたＤＣ１００Ｖ電圧を昇圧すると共に、
昇圧時の電圧と電流の位相差を極力小さくする、いわゆる力率を改善して例えばＤＣ４０
０Ｖ電圧を出力するＰＦＣ（パワー・ファクト・コントローラ）回路２と、出力端が可飽
和コイル４に接続され、放電ランプ１６の放電が開始した後、可飽和コイル４を介して放
電ランプ１６に一定の電圧を供給し続けるバラスト回路３と、放電ランプ１６を放電開始
させるための高圧の点弧電流を放電ランプ１６の一方端子に抵抗１４およびダイオード１
３を介して供給する、即ち放電ランプ１６を放電開始させるための高圧電圧を放電ランプ
１６に印加するイグナイター回路１５と、放電ランプ１６に定格電圧が印加できるように
電圧降下を得ると共に放電ランプ１６からの電流を接地へ流す接地回路２０と、この接地
回路２０をスイッチング動作させるスイッチング制御回路１０と、コレクタが可飽和コイ
ル４の一端に接続されると共にエミッタが接地され、可飽和コイル４を磁気飽和状態にす
るためのＮＰＮ形の飽和用トランジスタ１２と、放電を開始した時の放電ランプ１６の電
圧を検出する電圧検出回路２１とを備えている。
【００２４】
また、この放電ランプ駆動装置は、電源オン時に飽和用トランジスタ１２をオンさせ、
イグナイター回路１５の動作前に飽和用トランジスタ１２をオフし、この後、イグナイタ
ー回路１５の動作開始を行い、この時に放電ランプ１６が放電していなければ、再び、飽
和用トランジスタ１２をオンさせ、イグナイター回路１５の動作前に飽和用トランジスタ
１２をオフし、この後、イグナイター回路１５の動作開始を行うように制御する制御部と
してのマイクロコンピュータ２２を備えている。また、このマイクロコンピュータ２２は
、放電を開始した時の放電ランプ１６の電圧を電圧検出回路２１から検出してイグナイタ
ー回路１５の動作を停止させたり、装置の電源オンに従ってスイッチング制御回路１０を
動作させたりする。
【００２５】
接地回路２０は、前述したように、ＮＰＮ形のトランジスタ６とＮＰＮ形のトランジス
タ９とコイル７とコイル８を備えてチョッパ回路を構成し、スイッチング制御回路１０か
ら出力されるスイッチング信号によりトランジスタ６とトランジスタ９とを交互にオン／
オフし、点灯時の放電ランプ１６に定格電圧が印加できるように電圧降下を得ると共に、
放電ランプ１６からの電流を接地へ流す動作を行う。これにより、放電ランプ１６は、放
電開始時におけるイグナイター回路１５からの高圧の点弧電流を接地に流すことができる
と共に、放電開始後のバラスト回路３からの電流を接地に流すことができ、放電から点灯
まで動作が可能となる。
【００２６】
次に、この放電ランプ駆動装置の動作について説明する。装置の図示しない電源スイッ
チをオンすると、マイクロコンピュータ２２はイグナイター回路１５およびスイッチング
制御回路１０を動作させ、イグナイター回路１５は、例えば１．２ＫＶの瞬間的な高圧電
圧を発生し、抵抗１４およびダイオード１３を介して点弧電流を放電ランプ１６に流す。
これにより、放電ランプ１６に点弧電流が流れ、放電ランプ１６が放電を開始して点灯す
ると、放電ランプ１６の両端電圧が低下するので、この低下した電圧を電圧検出回路２１
により検出し、この検出した電圧に従って、マイクロコンピュータ２２はイグナイター回
路１５の動作を停止させる。
【００２７】
また、前記電源スイッチがオンされたときは、ＰＦＣ回路２およびバラスト回路３も動
作することになり、図示しない電源回路からの例えばＤＣ１００Ｖ電圧が入力端子１に入
力される。このＤＣ１００Ｖ電圧は、ＰＦＣ回路２に入力されて例えばＤＶ４００Ｖ電圧
に昇圧されるが、この昇圧時の電圧と電流とが位相差を生じるが、この位相差が極力少な
くなるように力率が改善される。ＰＦＣ回路２から出力されたＤＣ４００Ｖ電圧はバラス
ト回路３に入力され、バラスト回路３からは一定の安定したＤＣ４００Ｖ電圧が出力され
る。
【００２８】
バラスト回路３からはＤＣ４００Ｖの電圧が出力されるが、放電ランプ１６の定格電圧
が例えばＤＣ７５Ｖであれば、放電ランプ１６にＤＣ７５Ｖ電圧を印加しなければならな
いので、可飽和コイル４の電圧降下分を無視すると、接地回路２０でＤＣ３２５Ｖの電圧
降下が得られるようなっている。これにより、放電ランプ１６にはＤＣ７５Ｖ電圧が印加
されることになり、イグナイター回路１５の動作が停止した後は、バラスト回路３の出力
電圧により放電ランプ１６は点灯が維持される。
【００２９】
図２は本実施形態において放電ランプを駆動させる際の動作を説明するためのフローチ
ャートである。図３は本実施形態において飽和用トランジスタのオン／オフのタイミング
とイグナイター回路の出力タイミングとの関係を示す電圧波形図である。図２および図３
を参照して図１に示す放電ランプ駆動装置の特徴とする動作について説明する。
【００３０】
先ず、図示しない電源スイッチにより電源がオンされると（ステップＳ１）、マイクロ
コンピュータ２２は、イグナイター回路１５の動作前に、図３（Ａ）に示すように時点Ｔ
１で飽和用トランジスタ１２をオンする（ステップＳ２）。これにより、バラスト回路３
からの電流が可飽和コイル４および飽和用トランジスタ１２を介して接地に流れ、これに
より、可飽和コイル４はバラスト回路３への方向に対して磁気飽和され、イグナイター回
路１５からバラスト回路３への方向の瞬間的な電流に対しては、可飽和コイル４はハイイ
ンピーダンスとなり、イグナイター回路１５からの瞬間的な電流は可飽和コイル４で阻止
される。
【００３１】
このような可飽和コイル４の性質は、次のような理由によるものである。つまり、バラ
スト回路３からの電流が可飽和コイル４を介して接地へ流れている時は、回路理論の定常
状態においては、可飽和コイル４は透磁率がゼロに近くなり、これにより磁気抵抗もゼロ
に近くなり、直流的な抵抗成分だけになるが、飽和用トランジスタ１２がオフされて接地
への電流が遮断された後、イグナイター回路１５から瞬間的な高圧の電流が出力され、抵
抗１４およびダイオード１３を介して可飽和コイル４の方へ導かれたとしても、回路理論
の過度現象論から考察すると、電流が遮断された直後は、可飽和コイル４はバラスト回路
３からの電流が少し残っており、また、イグナイター回路１５からの電流が可飽和コイル
４に与えられても、可飽和コイル４の逆起電力により、イグナイター回路１５からの瞬間
的な電流を阻止することになる。したがって、このような可飽和コイル４の性質を利用す
ることにより、従来のような逆流防止用ダイオードと同様な作用を得ることができ、逆流
防止用ダイオードが不要となる。
【００３２】
前述したように時点Ｔ１で飽和用トランジスタ１２をオン（ステップＳ２）した後、マ
イクロコンピュータ２２は、イグナイター回路１５の動作の前に、図３（Ａ）に示すよう
に時点Ｔ２で飽和用トランジスタ１２をオフする（ステップＳ２）。その後、マイクロコ
ンピュータ２２はイグナイター回路１５の動作を開始させ（ステップＳ４）、図３（Ｂ）
に示すように時点Ｔ３から時点Ｔ４までの僅かな時間（例えば数ｍ秒）例えば１．２ＫＶ
の高圧電圧を発生させ、放電ランプ１６に印加する。
【００３３】
そして、放電ランプ１６が放電を開始し点灯すれば（ステップＳ５）、バラスト回路３
からの電流が放電ランプ１６に流れ（ステップＳ６）、点灯を維持させるが、放電ランプ
１６が放電していなければ（ステップＳ５）、再び、飽和用トランジスタ１２を図３（Ａ
）に示すように時点Ｔ５でオンして（ステップＳ２）、可飽和コイル４を磁気飽和し、イ
グナイター回路１５の動作前に飽和用トランジスタ１２を図３（Ａ）に示すように時点Ｔ
６でオフし（ステップＳ３）、この後、イグナイター回路１５の動作を開始させ（ステッ
プＳ４）、図３（Ｂ）に示すように時点Ｔ７から時点Ｔ８までの僅かな時間、高圧電圧を
発生させ、放電ランプ１６に印加する。そして、放電ランプ１６が放電を開始し点灯すれ
ば（ステップＳ５）、バラスト回路３からの電流が放電ランプ１６に流れ（ステップＳ６
）、点灯を維持させる。
【００３４】
以上のように本実施形態によれば、イグナイター回路１５からバラスト回路３への逆流
を防止するための逆流防止用ダイオードを削除でき、それに代わって熱の発生量が極めて
少ない可飽和コイル４を用いて構成したので、放電ランプ１６の容量が大きくなって消費
電力が増加しても、発熱を低減することができ、また、ヒートシンクが不要になるので、
回路基板上のレイアウトに制約を与えることなく、回路設計の自由度を高めることができ
、これにより、回路基板の小型化を図ることができ、これに伴って装置の小型化も図るこ
とができる。
【図面の簡単な説明】
【００３５】
【図１】本考案の一実施形態に係る放電ランプ駆動装置の要部を示す回路図である。
【図２】前記実施形態において放電ランプを駆動させる際の動作を説明するためのフローチャートである。
【図３】前記実施形態において飽和用トランジスタのオン／オフのタイミングとイグナイター回路の出力タイミングとの関係を示す電圧波形図である。
【図４】従来の放電ランプ駆動装置の要部を示す回路図である。
【符号の説明】
【００３６】
３    バラスト回路
４    可飽和コイル
１２    飽和用トランジスタ
１５    イグナイター回路
１６    放電ランプ
２２    マイクロコンピュータ（制御部）
【図１】
0003106028.tif 000003
【図２】
0003106028.tif 000004
【図３】
0003106028.tif 000005
【図４】
0003106028.tif 000006